(57)【要約】［課題］ユーザが好きなタイミングで手軽に体感通信品質を入力すること。［解決手段］情報処理装置であって、画像を表示する表示手段と、使用感を入力するための入力画面を前記表示手段に表示させる表示制御手段と、ユーザからの操作を受け付ける操作手段と、前記入力画面を表示した状態で前記操作手段に対してユーザが使用感を入力したことをトリガーとして、入力した該使用感、および、ユーザの使用感の入力時における情報処理環境を示す環境情報を蓄積する記憶手段と、を備えた。
2017145970.tif 000002
【特許請求の範囲】
【請求項１】
画像を表示する表示手段と、
使用感を入力するための入力画面を前記表示手段に表示させる表示制御手段と、
ユーザからの操作を受け付ける操作手段と、
前記入力画面を表示した状態で前記操作手段に対してユーザが使用感を入力したことをトリガーとして、入力した該使用感、および、ユーザの使用感の入力時における情報処理環境を示す環境情報を蓄積する記憶手段と、
を備えた情報処理装置。
【請求項２】
前記表示手段および前記操作手段として機能するタッチパネルを備え、
前記入力画面は、前記タッチパネル上部からフリック操作で表示される通知バー内に用意された請求項１に記載の情報処理装置。
【請求項３】
前記環境情報は、時刻、位置、ネットワーク品質、および実行中のアプリケーションの少なくともいずれか一つを含む請求項１または２に記載の情報処理装置。
【請求項４】
前記入力画面は、ユーザの使用感を段階的に表す複数のボタンを含む請求項１、２または３に記載の情報処理装置。
【請求項５】
前記入力画面は、タップ回数でユーザの使用感を入力するための一つのボタンを含む請求項１乃至４のいずれか１項に記載の情報処理装置。
【請求項６】
前記入力画面は、タップの強さでユーザの使用感を入力するための一つのボタンを含む請求項１乃至４のいずれか１項に記載の情報処理装置。
【請求項７】
前記入力画面は、タップの長さでユーザの使用感を入力するための一つのボタンを含む請求項１乃至４のいずれか１項に記載の情報処理装置。
【請求項８】
前記記憶手段に蓄積された、ユーザの前記使用感および前記環境情報を、定期的にサーバに送信する送信手段をさらに備えた請求項１乃至７のいずれか１項に記載の情報処理装置。
【請求項９】
使用感を入力するための入力画面を表示手段に表示させ、
前記入力画面を表示した状態で操作手段に対してユーザが使用感を入力したことをトリガーとして、入力した該使用感、および、ユーザの使用感の入力時における、情報処理環境を示す環境情報を蓄積する情報処理方法。
【請求項１０】
使用感を入力するための入力画面を表示手段に表示させ、
前記入力画面を表示した状態で操作手段に対してユーザが使用感を入力したことをトリガーとして、入力した該使用感、および、ユーザの使用感の入力時における、情報処理環境を示す環境情報を蓄積する処理  をコンピュータに実行させるプログラムを記憶するプログラム記憶媒体。
【発明の詳細な説明】
【技術分野】
【０００１】
本発明は、情報処理装置、情報処理方法およびプログラム記憶媒体に関する。
【背景技術】
【０００２】
上記技術分野において、特許文献１には、通信速度の体感品質を推定した後に、ユーザに確認させる技術が開示されている。この技術により、電波強度やスループットの数値とユーザが実際感じる「つながりやすさ」や「ネットワーク体感スピード」のマッチングを行なっている。
【先行技術文献】
【特許文献】
【０００３】
【特許文献１】特開２０１４−１６５８２８号公報
【発明の概要】
【発明が解決しようとする課題】
【０００４】
しかしながら、上記文献に記載の技術では、コンテンツのダウンロードの終了と共に、メッセージを表示して、ユーザからの入力を求めていた。したがって、ユーザの好きなタイミングで、手軽に通信品質評価を行なうことができなかった。【０００５】
本発明の目的は、上述の課題を解決する技術を提供することにある。
【課題を解決するための手段】
【０００６】
上記目的を達成するため、本発明に係る装置は、
画像を表示する表示手段と、
使用感を入力するための入力画面を前記表示手段に表示させる表示制御手段と、
ユーザからの操作を受け付ける操作手段と、
前記入力画面を表示した状態で前記操作手段に対してユーザが使用感を入力したことをトリガーとして、入力した該使用感、および、ユーザの使用感入力時における情報処理環境を示す環境情報を蓄積する記憶手段と、
を備えた情報処理装置である。【０００７】
上記目的を達成するため、本発明に係る方法は、
使用感を入力するための入力画面を表示手段に表示させ、
前記入力画面を表示した状態で操作手段に対してユーザが使用感を入力したことをトリガーとして、入力した該使用感、および、ユーザの使用感入力時における、情報処理環境を示す環境情報を蓄積する情報処理方法である。【０００８】
上記目的を達成するため、本発明に係るプログラム記憶媒体は、
使用感を入力するための入力画面を表示手段に表示させ、
前記入力画面を表示した状態で操作手段に対してユーザが使用感を入力したことをトリガーとして、入力した該使用感、および、ユーザの使用感入力時における、情報処理環境を示す環境情報を蓄積する処理
をコンピュータに実行させる情報処理プログラムを記憶するプログラム記憶媒体である。
【発明の効果】
【０００９】
本発明によれば、ユーザは好きなタイミングで手軽に体感通信品質を入力でき、サーバは、その体感と実際のネットワーク通信品質との比較を行なうことができる。
【図面の簡単な説明】
【００１０】
【図１】本発明の第１実施形態に係る情報処理装置の構成を示すブロック図である。
【図２】本発明の第２実施形態に係るスマートフォンの使用状況を示す図である。
【図３】本発明の第２実施形態に係るスマートフォンの画面例を示す図である。
【図４】本発明の第２実施形態に係るスマートフォンの機能構成図である。
【図５】本発明の第２実施形態に係るスマートフォンの処理の流れを示すフローチャートである。
【図６】本発明の第３実施形態に係るスマートフォンの画面例を示す図である。
【図７】本発明の第４実施形態に係るスマートフォンの画面例を示す図である。
【図８】本発明の第５実施形態に係るスマートフォンの画面例を示す図である。
【発明を実施するための形態】
【００１１】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１２】
［第１実施形態］
本発明の第１実施形態としての情報処理装置１００について、図１を用いて説明する。
情報処理装置１００は、例えば、スマートフォンやスマートパッド等のような表示手段と操作手段とを備えた装置である。
【００１３】
図１に示すように、情報処理装置１００は、表示部１０１、表示制御部１０２、操作部１０３および記憶部１０４を含む。
【００１４】
表示部１０１は、画像を表示し、表示制御部１０２は、使用感を入力するための入力画面を表示部１０１に表示させる。
【００１５】
操作部１０３は、ユーザからの操作を受け付け、記憶部１０４は、入力画面を表示した状態で操作部１０３に対してユーザが使用感を入力したことをトリガーとして、入力した使用感、および、ユーザの使用感入力時における情報処理環境を示す環境情報を蓄積する。
【００１６】
以上の構成により、ユーザは好きなタイミングで手軽に使用感を評価でき、その使用感と実際の装置の環境とを関連付けることができる。
【００１７】
［第２実施形態］
次に本発明の第２実施形態に係る情報処理装置について、図２乃至図７を用いて説明する。図２は、本実施形態に係る情報処理装置の一例としてのスマートフォン２００の使用時の状況を説明するための図である。なお、本実施形態の情報処理装置は、スマートフォンに限定されるものではなく、タブレットやスマートパッドやノートパソコンやモバイルルータなど、様々な携帯型の通信端末に適用できる。
【００１８】
図２のように、スマートフォン２００で動画を閲覧している最中に動画の再生が止まるなどして、ストレスを感じることはよくある。しかし、実際に、何が原因でスマートフォン２００の動作が止まったのか、ユーザが的確に判断することは難しく、回線提供者にとっても、ユーザがどのような場面でストレスを感じているのか、明確に把握しきれないという問題がある。
【００１９】
このような場合、図３に示すようにタッチパネル３０１の上部にある、時間や日時やアンテナ強度や電池残量などを表示するための領域である通知バー３０２を下向けにフリック操作でスライドする（図中丸１）ことで、使用感の入力画面３０３が表示される。
【００２０】
具体的には、入力画面３０３として、ユーザの使用感を表す複数のアイコン（ボタン）３０４〜３０６が表示される。ここでは、ボタンを３つ表示した例を示しているが、本願はこれに限定されるものはなく、不満か否かを示すボタンは１つまたは２つでもよいし、４つ以上でもよい。
【００２１】
ユーザ３１０は、使用感に問題がなければ、アイコン３０４をタップし、使用感にやや問題があれば、アイコン３０５をタップし（図中丸２）、使用感にかなり問題があれば、アイコン３０６をタップする。ユーザが使用感を選択したと同時に裏でネットワーク品質、測定環境の時間・位置情報・ユーザが利用中のアプリなどの端末情報を取得する。ネットワーク品質は、たとえば、パケットロスや、ラウンドトリップタイム（Round-Trip Time：RTT）、ジッター（Jitter）である。また、測定環境の時間情報とは、情報処理装置１００がネットワーク品質を測定した時の日時である。測定環境の位置情報とは、情報処理装置１００がネットワーク品質を測定した時の場所である。ここでのネットワーク品質の評価は、スマートフォン内部で行なってもよいが、外部のスピードテスト専用の計測サーバに計測させてもよい。その場合、計測サーバから受け取った評価を蓄積する。また、計測サーバとの通信の確立自体ができなかった場合には、通信不能という評価を蓄積してもよい。このように、通知バー３０２にユーザ体感が選択できる項目を設けることで、スピードテスト等のアプリをいちいち立ち上げる必要がなく、ユーザ体感を申告するユーザインタフェースがシンプルになる。ユーザが画面上でさまざまな操作をしていても、その途中で使用感を入力できる。なお、スピードテストとは、回線速度／通信速度を測定するテストのことをいう。具体的には、スピードテストは、利用している回線(アナログ回線、ＩＤＳＮ回線、ＡＤＳＬ回線、光回線等)の上りおよび下りの転送速度を計測することをいう。なお、スピードテストには、例えば、特開２０１１−１４２６２２号公報に開示されたネットワーク帯域計測システムを用いることができる。
【００２２】
図４は、スマートフォン２００の機能構成図である。スマートフォン２００は、図に示すとおり、タッチパネル３０１、表示制御部４０２、記憶部４０４、情報収集部４０５、および通信部４０６を備えている。
【００２３】
タッチパネル３０１は、表示手段および操作手段として機能する。タッチパネル３０１は文字入力時の編集画面を表示したり、通信レベルを表示したり、各種アプリケーションの実行画面を表示する。タッチパネル３０１は、使用者の指（またはタッチペン）による操作を検出する機能を有している。スマートフォン２００は、基地局（不図示）やサーバ４５０などと通信したり、各アプリケーションを実行するための各種デバイス等を格納する。表示制御部４０２は、タッチパネル３０１に表示するための画像を生成する。
【００２４】
情報収集部４０５は、タッチパネル３０１に対してユーザが使用感を入力したことをトリガーとして、ユーザの使用感、その入力時刻、入力時点でのネットワーク品質、位置情報、および実行中のアプリケーション、といった端末の環境を示す環境情報を収集する。
ここでは、スマートフォン２００にインストールされたユーザ使用感収集アプリケーションが、不図示のＣＰＵ（Central Processing Unit）によって実行されることにより、情報収集部４０５の機能を実現する。
【００２５】
記憶部４０４は、収集した環境情報を蓄積し、通信部４０６は、記憶部４０４に蓄積されたデータを定期的にサーバ４５０へ送信する。環境情報は、時刻、位置、ネットワーク品質、および実行中のアプリケーションの少なくともいずれか一つを含めばよい。ここで、時刻とは、上述の測定環境の時間情報であり、情報処理装置１００がネットワーク品質を測定した時の日時である。位置とは、上述の測定環境の位置情報であり、情報処理装置１００がネットワーク品質を測定した時の場所である。通信部４０６は、ユーザが使用感を入力したことをトリガーとして、すぐに記憶部４０４内に蓄積された環境情報を送信してもよい。または、通信部４０６は、一定期間、記憶部４０４に蓄積した後、通信状況がよいタイミングで、サーバ４５０に環境情報を送信してもよい。例えば１日一回のみ送信するなどの方法がある。サーバ４５０は、スマートフォン２００から収集した環境情報を用いて、地図上にユーザの使用感をマッピングして時刻による変化を表わすなど、ユーザの満足度を可視化することが可能となる。
【００２６】
図５は、スマートフォン２００の処理の流れを説明するためのフローチャートである。
スマートフォン２００にあらかじめ格納されたユーザ使用感収集アプリケーションは、スマートフォン２００の起動と共に実行されているものとする。
【００２７】
ステップＳ５０１において、通知バー３０２を表示した状態で、通知バー３０２が下方向にスライドされると、使用感の入力画面３０３を表示する。
【００２８】
ステップＳ５０３において、使用感の入力画面３０３に対する操作を受け付けると、それをトリガーにして、ステップＳ５０５に進み、ユーザ使用感収集アプリケーションは、ユーザの使用感に影響を与える情報を収集する。具体的には、ユーザ使用感収集アプリケーションは、使用感の評価そのもの、日時、位置、ネットワーク品質、実行中の他のアプリケーションなどの環境情報を収集する。ここで、日時とは、上述の測定環境の時間情報であり、情報処理装置１００がネットワーク品質を測定した時の日時である。位置とは、上述の測定環境の位置情報であり、情報処理装置１００がネットワーク品質を測定した時の場所である。
なお、計測、収集状況についてはユーザが認識する必要はない。
【００２９】
次に、ステップＳ５０７に進み、情報処理装置１００は、サーバとの通信が可能か判定する。サーバ４５０と通信できない場合には、ステップＳ５０９に進み、情報処理装置１００は、環境情報を一時的に記憶領域に保存し、送信予約をしておく。ステップＳ５０７において通信ができると判定されるとステップＳ５１１に進み、情報処理装置１００は、環境情報をサーバ４５０に送信する。すなわち、環境情報は記憶部１０４に蓄積され、パッケージ化された後、所定のタイミングでサーバ４５０に送信される。これにより、通信状況が悪い場合は一定期間端末に蓄積しておき、通信状況が回復したタイミング等で蓄積サーバ（サーバ４５０）へデータを送信することになる。
【００３０】
本実施形態では、通知バーエリアにユーザの体感を入力できるユーザインタフェースを設けた。これにより、ユーザは他のアプリを操作中、ネットワーク品質等、携帯情報機器利用に関する満足/不満足を感じた時に、わざわざ専用のアプリを立ち上げることなく、ユーザ体感を入力することが可能になる。そして、その入力をトリガーとしてユーザ体感を入力した瞬間のネットワーク品質をはじめとしたデバイス情報を取得し、纏め、記憶することで、ユーザ体感と装置の環境との関係をより詳細に分析することが可能になる。
【００３１】
また、ユーザ操作と同時に裏でネットワーク品質や端末情報(測定環境の時間・位置情報・ユーザが利用中のアプリなど)を自動的に収集することでユーザ体感とネットワーク品質や端末情報のより細かい関係性を見ることができる。
【００３２】
［第３実施形態］
次に本発明の第３実施形態に係るスマートフォンについて、図６を用いて説明する。図６は、本実施形態に係るスマートフォンの使用感入力画面を説明するための図である。本実施形態に係るスマートフォン６００は、上記第２実施形態と比べると、使用感をタップ回数の違いを利用して入力する点で異なる。その他の構成および動作は、第２実施形態と同様であるため、同じ構成および動作については同じ符号を付してその詳しい説明を省略する。
【００３３】
入力画面６０３には、「使用中のストレスをタップ回数で表わして下さい」のメッセージ６０４と共に、タップすべきボタン６０５が表示される。ボタン６０５を何度もタップすると、不満度を表わすゲージ６０６のバーが徐々に長くなる。入力後、しばらくボタン６０５がタップされなければ、入力画面６０３は、画面上方に収容される。また、その時点で使用感の入力が確定されたものとして、ユーザ使用感収集アプリケーションは、ユーザの使用感に影響を与える情報を収集する。具体的には、ユーザ使用感収集アプリケーションは、使用感の評価そのもの、日時、位置、ネットワーク品質、実行中の他のアプリケーションなどの環境情報を収集する。ここで、日時とは、上述の測定環境の時間情報であり、情報処理装置１００がネットワーク品質を測定した時の日時である。位置とは、上述の測定環境の位置情報であり、情報処理装置１００がネットワーク品質を測定した時の場所である。
【００３４】
本実施形態によれば、第２実施形態と異なる態様で、ユーザの使用感の評価を受け付けることができる。
【００３５】
［第４実施形態］
次に本発明の第４実施形態に係るスマートフォンについて、図７を用いて説明する。図７は、本実施形態に係るスマートフォンの使用感入力画面を説明するための図である。本実施形態に係るスマートフォン７００は、上記第２実施形態と比べると、使用感をタップの強さの違いを利用して入力する点で異なる。その他の構成および動作は、第２実施形態と同様であるため、同じ構成および動作については同じ符号を付してその詳しい説明を省略する。
【００３６】
入力画面７０３には、「使用中のストレスをタップの強さで表わして下さい」のメッセージ７０４と共に、タップすべきボタン７０５が表示される。ボタン７０５を強くタップすると、その強さに合わせて不満度を表わすゲージ７０６のバーが徐々に長くなる。なお、入力画面７０３の裏側（スマートフォン７００の筐体の背面側。図７の紙面に対して垂直方向）には、圧力センサ（不図示）が設けられている。入力画面７０３は、タップされると撓む可撓性材料（たとえば、樹脂材料や、肉厚の薄いガラス板）を含んで、構成されている。そして、ボタン７０５が強くタップされると、可撓性材料が撓むことにより、圧力センサに圧力が加わる。圧力センサは、この圧力を測定する。そして、圧力センサの測定結果に従って、不満度を表わすゲージ７０６のバーが表示される。入力後、しばらくボタン７０５がタップされなければ、入力画面７０３は、画面上方に収容される。また、その時点で使用感の入力が確定されたものとして、ユーザ使用感収集アプリケーションは、ユーザの使用感に影響を与える情報を収集する。具体的には、ユーザ使用感収集アプリケーションは、使用感の評価そのもの、日時、位置、ネットワーク品質、実行中の他のアプリケーションなどの環境情報を収集し、記憶する。ここで、日時とは、上述の測定環境の時間情報であり、情報処理装置１００がネットワーク品質を測定した時の日時である。位置とは、上述の測定環境の位置情報であり、情報処理装置１００がネットワーク品質を測定した時の場所である。
【００３７】
本実施形態によれば、第２実施形態と異なる態様で、ユーザの使用感の評価を受け付けることができる。
【００３８】
［第５実施形態］
次に本発明の第５実施形態に係るスマートフォンについて、図８を用いて説明する。図７は、本実施形態に係るスマートフォンの使用感入力画面を説明するための図である。本実施形態に係るスマートフォン８００は、上記第２実施形態と比べると、使用感をタップの長さの違いを利用して入力する点で異なる。その他の構成および動作は、第２実施形態と同様であるため、同じ構成および動作については同じ符号を付してその詳しい説明を省略する。
【００３９】
入力画面８０３には、「使用中のストレスをタップの長さで表わして下さい」のメッセージ８０４と共に、タップすべきボタン８０５が表示される。ボタン８０５を長くタップすると、その長さに合わせて不満度を表わすゲージ７０６のバーが徐々に長くなる。入力後、しばらくボタン８０５がタップされなければ、入力画面８０３は、画面上方に収容される。また、その時点で使用感の入力が確定されたものとして、ユーザ使用感収集アプリケーションは、ユーザの使用感に影響を与える情報を収集する。具体的には、使用感の評価そのもの、日時、位置、ネットワーク品質、実行中の他のアプリケーションなどの環境情報を収集し、記憶する。
【００４０】
本実施形態によれば、第２実施形態と異なる態様で、ユーザの使用感の評価を受け付けることができる。
【００４１】
［他の実施形態］
それぞれの実施形態に含まれる別々の特徴を如何様に組み合わせたシステムまたは装置も、本発明の範疇に含まれる。
【００４２】
また、本実施形態は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本実施形態の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【００４３】
［実施形態の他の表現］
上記の実施形態の一部または全部は、以下の付記のようにも記載されうるが、以下には限られない。
（付記１）
画像を表示する表示手段と、
使用感を入力するための入力画面を前記表示手段に表示させる表示制御手段と、
ユーザからの操作を受け付ける操作手段と、
前記入力画面を表示した状態で前記操作手段に対してユーザが使用感を入力したことをトリガーとして、入力した該使用感、および、ユーザの使用感の入力時における情報処理環境を示す環境情報を蓄積する記憶手段と、
を備えた情報処理装置。
（付記２）
前記表示手段および前記操作手段として機能するタッチパネルを備え、
前記入力画面は、前記タッチパネル上部からフリック操作で表示される通知バー内に用意された付記１に記載の情報処理装置。
（付記３）
前記環境情報は、時刻、位置、ネットワーク品質、および実行中のアプリケーションの少なくともいずれか一つを含む付記１または２に記載の情報処理装置。
（付記４）
前記入力画面は、ユーザの使用感を段階的に表す複数のボタンを含む付記１、２または３に記載の情報処理装置。
（付記５）
前記入力画面は、タップ回数でユーザの使用感を入力するための一つのボタンを含む付記１乃至４のいずれか１項に記載の情報処理装置。
（付記６）
前記入力画面は、タップの強さでユーザの使用感を入力するための一つのボタンを含む付記１乃至４のいずれか１項に記載の情報処理装置。
（付記７）
前記入力画面は、タップの長さでユーザの使用感を入力するための一つのボタンを含む付記１乃至４のいずれか１項に記載の情報処理装置。
（付記８）
前記記憶手段に蓄積された、ユーザの前記使用感および前記環境情報を、定期的にサーバに送信する送信手段をさらに備えた付記１乃至７のいずれか１項に記載の情報処理装置。
（付記９）
使用感を入力するための入力画面を表示手段に表示させ、
前記入力画面を表示した状態で操作手段に対してユーザが使用感を入力したことをトリガーとして、入力した該使用感、および、ユーザの使用感の入力時における、情報処理環境を示す環境情報を蓄積する情報処理方法。
（付記１０）
使用感を入力するための入力画面を表示手段に表示させ、
前記入力画面を表示した状態で操作手段に対してユーザが使用感を入力したことをトリガーとして、入力した該使用感、および、ユーザの使用感の入力時における、情報処理環境を示す環境情報を蓄積する処理  をコンピュータに実行させるプログラム記憶媒体。
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
この出願は、２０１６年２月２６日に出願された日本出願特願２０１６−０３６２７７を基礎とする優先権を主張し、その開示の全てをここに取り込む。
【図１】
2017145970.tif 000003
【図２】
2017145970.tif 000004
【図３】
2017145970.tif 000005
【図４】
2017145970.tif 000006
【図５】
2017145970.tif 000007
【図６】
2017145970.tif 000008
【図７】
2017145970.tif 000009
【図８】
2017145970.tif 000010
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
画像を表示する表示手段と、
使用感を入力するための入力画面を前記表示手段に表示させる表示制御手段と、
ユーザからの操作を受け付ける操作手段と、
前記入力画面を表示した状態で前記操作手段に対してユーザが使用感を入力したことをトリガーとして、入力した該使用感、および、ユーザの使用感の入力時における情報処理環境を示す環境情報を蓄積する記憶手段と、
を備えた情報処理装置。
【請求項２】
前記表示手段および前記操作手段として機能するタッチパネルを備え、
前記入力画面は、前記タッチパネル上部からフリック操作で表示される通知バー内に用意された請求項１に記載の情報処理装置。
【請求項３】
前記環境情報は、時刻、位置、ネットワーク品質、および実行中のアプリケーションの少なくともいずれか一つを含む請求項１または２に記載の情報処理装置。
【請求項４】
前記入力画面は、ユーザの使用感を段階的に表す複数のボタンを含む請求項１、２または３に記載の情報処理装置。
【請求項５】
前記入力画面は、タップ回数でユーザの使用感を入力するための一つのボタンを含む請求項１乃至４のいずれか１項に記載の情報処理装置。
【請求項６】
前記入力画面は、タップの強さでユーザの使用感を入力するための一つのボタンを含む請求項１乃至４のいずれか１項に記載の情報処理装置。
【請求項７】
前記入力画面は、タップの長さでユーザの使用感を入力するための一つのボタンを含む請求項１乃至４のいずれか１項に記載の情報処理装置。
【請求項８】
前記記憶手段に蓄積された、ユーザの前記使用感および前記環境情報を、定期的にサーバに送信する送信手段をさらに備えた請求項１乃至７のいずれか１項に記載の情報処理装置。
【請求項９】
使用感を入力するための入力画面を表示手段に表示させ、
前記入力画面を表示した状態で操作手段に対してユーザが使用感を入力したことをトリガーとして、入力した該使用感、および、ユーザの使用感の入力時における、情報処理環境を示す環境情報を蓄積する情報処理方法。
【請求項１０】
使用感を入力するための入力画面を表示手段に表示させ、
前記入力画面を表示した状態で操作手段に対してユーザが使用感を入力したことをトリガーとして、入力した該使用感、および、ユーザの使用感の入力時における、情報処理環境を示す環境情報を蓄積する処理をコンピュータに実行させるプログラム。
【国際調査報告】
2017145970.tif 000011
2017145970.tif 000012
2017145970.tif 000013
2017145970.tif 000014